(57)【要約】      （修正有）【課題】フラットケーブルと導線をひとつの配線経路に配置する際、お互いの位置関係が安定した状態を保つことができ、ノイズ対策を効果的に機能させることができる配置方法を提供する。【解決手段】配線経路に配置されたフラットケーブル１０３に対し、導線１０４がフラットケーブル１０３の対角線上にまたぐように配置することにより、フラットケーブル１０３と導線１０４の位置関係が決定される。また、配線経路が屈曲部分１０９であっても導線１０４がフラットケーブル１０３の片面にのみ位置し、逆面側に位置することなく、良好な位置関係を保つことができる。さらにフラットケーブル１０３と導線１０４との間にシールド用のシートを挟む。【選択図】図１
2005236154.tif 000002
【特許請求の範囲】
【請求項１】
電気信号を伝達するフラットケーブルと、電気信号を伝達する導線と、装置間あるいは基板間の信号授受をおこなうひとつの配線経路と、を具備し、前記フラットケーブルと前記導線は前記配線経路を通って信号の授受を行い、前記配線経路内において前記導線を前記フラットケーブルの対角線上に配置することを特徴とする電子装置。
【請求項２】
前記装置間の配線経路は屈曲部であることを特徴とする請求項１記載の電子装置。
【請求項３】
前記フラットケーブルと前記導線の間に導電性シートを挟むことを特徴とする請求項１記載の電子装置。
【請求項４】
前記フラットケーブルと前記導線の間にシート状の電磁波吸収体を挟むことを特徴とする請求項１記載の電子装置。
【発明の詳細な説明】
【技術分野】
【０００１】
本発明は装置間あるいは基板間をフラットケーブルと導線を用いて信号伝達するものであって、特にフラットケーブルと導線が同一の配線経路を通り、配線経路が装置間の屈曲部であるものに関するものである。
【背景技術】
【０００２】
従来、ひとつの配線経路にフラットケーブルと導線を通す場合は、それぞれを固定したり、太い導線と細い導線の複合型である特殊なフラットケーブルを用いることがある（例えば特許文献１）。
【０００３】
また、フラットケーブルのノイズ対策としてはフラットケーブルにシールド材としてのフラットケーブルを重ねるといった提案がなされている（例えば特許文献２）。
【０００４】
図７は安価にフラットケーブルと導線をひとつの配線経路に通した例であり、同図において７０１はフラットケーブル、７０２は導線、７０３は第１の基板、７０４は第２の基板、７０５はフラットケーブル用コネクタ、７０６は導線用コネクタ、７０７は配線押さえである。基板７０３と基板７０４はそれぞれ不図示のフレームに固定されている。この不図示のフレームは配線押さえ７０７も形成している。２つの配線押さえ７０７の間が配線経路となっている。
【特許文献１】特開２００１−２７３８２０号公報（第６頁、図１）
【特許文献２】実開平６−１７０４１号公報（第２頁、図２）
【発明の開示】
【発明が解決しようとする課題】
【０００５】
しかしながら上記従来例では、配線経路内のフラットケーブルと導線の位置関係は導線のたわみ量により変化し、フラットケーブルに重なる場合もあれば離れる場合もある。このような状況でフラットケーブルと導線の電気信号の相互干渉が発生した場合、導線の状態により相互干渉の状態も変化してしまい、ノイズ対策が難しくなってしまう。また、導線がフラットケーブルの表側や裏側に自由に移動してしまうためフラットケーブルにシールド板を施しても、その効果が安定しなくなる。特に、配線経路部分が屈曲部であるものにおいては屈曲により状況が常に変化してしまう。そこで安価で容易にフラットケーブルと導線の位置が一意に決まるような配置方法が望まれる。
【課題を解決するための手段】
【０００６】
上記目的を達成するため、本出願に係る発明は、配線経路に配置されたフラットケーブルに対し、導線がフラットケーブルの対角線上にまたぐように配置することにより、フラットケーブルと導線の位置関係が決定される。また、本構成によれば配線経路が屈曲部分であっても導線がフラットケーブルの片面にのみ位置し、逆面側に位置することなく、良好な状態を保つことができる。
【発明の効果】
【０００７】
以上説明したように、本出願に係る発明によれば、安定したフラットケーブルと導線の位置関係を安価に決定することが可能となり、電気的に安定した動作を行う電子機器を供給できる。また、フラットケーブルと導線との間にシールド用のシートを挟むことにより、確実に導線とフラットケーブルを分離することができ、信号の相互干渉に対して安定した効果を得ることができる。
【発明を実施するための最良の形態】
【０００８】
（実施例１）
図１ないし図３は本発明の特徴を最もよく表す図面であり、これは２つのユニットがヒンジ機構により開閉可能に接続され、その間をフラットケーブルおよび導線で電気信号の伝達が行われる電子機器について説明するものである。図１において１０１はベースユニット、１０２は上ユニット、１０３はフラットケーブル、１０４は導線、１０５はベースユニットケーブル押さえ、１０６は突起、１０７は上ユニット開口部、１０８はベースユニット開口部、１０９はヒンジ部、図２において２０１は上ユニットケーブル押さえ、２０２はプリント基板、２０３はフラットケーブルコネクタ、２０４は導線コネクタである。
【０００９】
図１はベースユニット１０１と上ユニット１０２がヒンジ部１０９により開かれた状態を示し、矢印の通り、閉じることができる。図２は両ユニットを閉じた状態にて上ユニット１０２の上面を見た図である。ベースユニット１０１に不図示のプリント基板に接続されたフラットケーブル１０３はベースユニットケーブル押さえ１０５および突起１０６により位置が規制され上ユニット開口部１０７から上ユニット１０２内に入り、上ユニット１０２では上ユニットケーブル押さえ２０１にて位置が固定され、プリント基板２０２の端部に実装されたフラットケーブルコネクタ２０３に接続され、必要な電気信号が伝達される。導線１０４はベースユニット１０１内において不図示のプリント基板からベースユニット開口部１０８を通り、ベースユニットケーブル押さえ１０５により位置決め固定され、上ユニット開口部１０７を通り、上ユニットケーブル押さえ２０１により再び位置決め固定され、導線コネクタ２０４によりプリント基板２０２に接続される。この導線１０４はフラットケーブル１０３では電流容量が足りなくなる電源線を通している。フラットケーブル１０３と導線１０４の位置関係は図３に示す断面図のように導線１０４がフラットケーブル１０３を対角線上にまたぐような配置としている。これにより、ヒンジ部１０９によりベースユニット１０１と上ユニット１０２を開閉してもフラットケーブル１０３と導線１０４の位置関係が崩れることがない。
【００１０】
（実施例２）
図４ないし図６は本発明の第２の実施例を示し、第１の実施例と異なる部分についてのみ説明する。図４において４０１はアルミ箔を薄いプラスチックシートに張り合わせたシールド箔、４０２はフレームグランドであるベースユニット１０１の不図示のシャーシフレーム板金とシールド箔４０１を電気的に接続するビス、図５において５０１は上ユニット１０２のプリント基板２０２のＧＮＤパターンとシールド箔４０１を電気的に接続するビスである。シールド箔４０１により上ユニット１０２のプリント基板２０２はベースユニット１０１のフレームグランドと電気的接続される。図６はシールド箔４０１の平面図であり、固定具としてベースユニットケーブル押さえ１０５、上ユニットケーブル押さえ２０１、ビス４０２、ビス５０１の位置を便宜上平面に記しているものである。
【００１１】
シールド箔４０１はフラットケーブル１０３と導線１０４の間に存在することとなり、導線１０４に流れる電流により発生するノイズをフラットケーブル１０３の電気信号に干渉させないようシールドする効果を発揮する。導線１０４はフラットケーブル１０３の対角線上に沿うようベースユニットケーブル押さえ１０５と上ユニットケーブル押さえ２０１により固定されているので、上ユニット１０２の開閉によってもシールド箔４０１は導線１０４とフラットケーブル１０３の電磁的分離機能を損なうことはない。
【００１２】
シールド箔４０１はアルミ箔、鉄箔、銅箔、電磁波吸収シートなど電気的、磁気的なシールド効果をもつものを信号線のノイズ状態により適宜選択することが望ましい。
【図面の簡単な説明】
【００１３】
【図１】本発明の第１の実施例に係る配線構成図である。
【図２】本発明の第１の実施例に係る配線構成図である。
【図３】本発明の第１の実施例に係る配線断面図である。
【図４】本発明の第２の実施例に係る配線構成図である。
【図５】本発明の第２の実施例に係る配線構成図である。
【図６】本発明の第２の実施例に係るシールド箔図である。
【図７】従来例のプリント基板パターン図である。
【符号の説明】
【００１４】
１０１  ベースユニット
１０２  上ユニット
１０３  フラットケーブル
１０４  導線
１０５  ベースユニットケーブル押さえ
１０７  上ユニット開口部
１０８  ベースユニット開口部
１０９  ヒンジ部
２０１  上ユニットケーブル押さえ
２０２  プリント基板
４０１  シールド箔
【図１】
2005236154.tif 000003
【図２】
2005236154.tif 000004
【図３】
2005236154.tif 000005
【図４】
2005236154.tif 000006
【図５】
2005236154.tif 000007
【図６】
2005236154.tif 000008
【図７】
2005236154.tif 000009